(57)【要約】【課題】部品実装基板の生産効率および品質を低下させることなく部品実装機等の生産ラインを構成する各生産設備の省エネルギー化を図ることができる監視方法を提供する。【解決手段】部品実装基板の生産ラインを構成する複数の生産設備の稼働状況を監視する監視方法であって、少なくとも１つの生産設備の稼働状況を監視する監視ステップ（Ｓ２）と、前記監視ステップにおける監視結果に基づいて、生産設備ごとに当該生産設備の稼動または非稼動を制御する稼動制御ステップ（Ｓ４〜Ｓ１０）とを含む。【選択図】図６
2006310750.tif 000002
【特許請求の範囲】
【請求項１】
複数の生産設備より構成される部品実装基板の生産ラインの稼働状況を監視する監視方法であって、
少なくとも１つの生産設備の稼働状況を監視する監視ステップと、
前記監視ステップにおける監視結果に基づいて、監視された生産設備とは異なる部品実装機を稼動状態または非稼動状態にするように制御する稼動制御ステップとを含む
ことを特徴とする監視方法。
【請求項２】
前記監視ステップでは、所定の生産設備に基板が搬入されたか否かを検知し、
前記稼動制御ステップでは、前記所定の生産設備よりも下流に位置する着目する部品実装機に基板が到着する時に、前記着目する部品実装機が稼動状態となっているように、前記着目する部品実装機の起動タイミングを決定する
ことを特徴とする請求項１に記載の監視方法。
【請求項３】
前記稼動制御ステップでは、さらに、決定された前記起動タイミングに前記着目する部品実装機を起動させる
ことを特徴とする請求項２に記載の監視方法。
【請求項４】
前記稼動制御ステップでは、さらに、前記着目する部品実装機を決定された前記起動タイミングに起動させるための指示を、表示または伝達する
ことを特徴とする請求項２に記載の監視方法。
【請求項５】
前記稼動制御ステップでは、携帯端末装置に前記着目する部品実装機を決定された前記起動タイミングに起動させるための指示を表示させる
ことを特徴とする請求項４に記載の監視方法。
【請求項６】
前記監視ステップでは、所定の生産設備に基板が搬入されたか否かを検知し、
前記稼動制御ステップは、
前記所定の生産設備に基板が搬入されたタイミングである基板搬入タイミングを取得する基板搬入タイミング取得ステップと、
前記所定の生産設備よりも下流に位置する着目する部品実装機ごとに、前記基板搬入タイミングと前記着目する部品実装機と前記所定の生産設備との間に存在する少なくとも１つの生産設備のタクトタイムとに基づいて、基板が前記着目する部品実装機に到着する時に前記着目する部品実装機が稼動状態になっているように、前記着目する部品実装機の起動タイミングを決定する起動タイミング決定ステップと、
前記起動タイミングに前記着目する部品実装機を起動させる起動ステップとを含む
ことを特徴とする請求項１に記載の監視方法。
【請求項７】
前記起動タイミング決定ステップは、
前記基板搬入タイミングと前記着目する部品実装機と前記所定の生産設備との間に存在する少なくとも１つの生産設備のタクトタイムとに基づいて、基板が前記着目する部品実装機に到着するタイミングである基板到着タイミングを算出するステップと、
前記基板到着タイミングよりも前記着目する部品実装機を起動してから安定状態になるまでの時間だけ早いタイミングを前記着目する部品実装機の起動タイミングと決定するステップとを含む
ことを特徴とする請求項６に記載の監視方法。
【請求項８】
前記着目する部品実装機を起動してから安定状態になるまでの時間は、当該部品実装機で使用される空気の空気圧を上昇させ安定状態なるまでの時間または当該部品実装機に電源を投入して安定状態になるまでの時間である
ことを特徴とする請求項７に記載の監視方法。
【請求項９】
前記着目する部品実装機を起動してから安定状態になるまでの時間は、当該部品実装機で使用される空気の空気圧を上昇させ安定状態なるまでの時間および当該部品実装機に電源を投入して安定状態になるまでの時間のうちの最大値である
ことを特徴とする請求項８に記載の監視方法。
【請求項１０】
前記監視ステップでは、部品実装機ごとに当該部品実装機が基板を搬出してから一定時間経過しているか否かを判断し、
前記稼動制御ステップでは、前記基板を搬出してから一定時間経過している場合には、当該部品実装機を非稼動状態にする
ことを特徴とする請求項１〜９のいずれか１項に記載の監視方法。
【請求項１１】
前記稼動制御ステップでは、生産計画に基づいて、基板が基準とする時間を越えて搬入されないていないか否かを判断し、当該判断結果に基づいて当該部品実装機を非稼動状態にする
ことを特徴とする請求項１〜１０のいずれか１項に記載の監視方法。
【請求項１２】
前記監視ステップでは、生産設備ごとにメンテナンス状態に入ったか否かを監視し、
前記稼動制御ステップでは、メンテナンス状態に入った生産設備よりも下流に位置する部品実装機を非稼動状態にする
ことを特徴とする請求項１〜１１のいずれか１項に記載の監視方法。
【請求項１３】
さらに、前記部品実装基板の生産に使用される使用期限の管理が必要な部材または部品を監視し、当該部材または部品の使用期間が所定の期間を過ぎた場合には警告を出力する警告出力ステップを含む
ことを特徴とする請求項１〜１２のいずれか１項に記載の監視方法。
【請求項１４】
前記使用期限の管理が必要な部材は、半田または接着剤である
ことを特徴とする請求項１３に記載の監視方法。
【請求項１５】
前記使用期限の管理が必要な部品は、ＢＧＡ（Ball Grid Array）である
ことを特徴とする請求項１３に記載の監視方法。
【請求項１６】
複数の生産設備より構成される部品実装基板の生産ラインの稼働状況を監視する監視方法をコンピュータに実行させるプログラムであって、
少なくとも１つの生産設備の稼働状況を監視する監視ステップと、
前記監視ステップにおける監視結果に基づいて、監視された生産設備とは異なる部品実装機を稼動状態または非稼動状態にするように制御する稼動制御ステップとをコンピュータに実行させる
ことを特徴とするプログラム。
【請求項１７】
複数の生産設備より構成される部品実装基板の生産ラインの稼働状況を監視する監視装置であって、
少なくとも１つの生産設備の稼働状況を監視する監視手段と、
前記監視手段における監視結果に基づいて、監視された生産設備とは異なる部品実装機を稼動状態または非稼動状態にするように制御する稼動制御手段とを備える
ことを特徴とする監視装置。
【請求項１８】
基板上に部品を実装する部品実装機であって、
複数の生産設備より構成される部品実装基板の生産ラインにおいて、少なくとも１つの生産設備の稼働状況を監視する監視手段と、
前記監視手段における監視結果に基づいて、監視された生産設備とは異なる部品実装機を稼動状態または非稼動状態にするように制御する稼動制御手段とを備える
ことを特徴とする部品実装機。
【請求項１９】
前記監視手段は、所定の生産設備に基板が搬入されたか否かを検知し、
前記稼動制御手段は、前記所定の生産設備よりも下流に位置する着目する部品実装機に基板が到着する時に、前記着目する部品実装機が稼動状態となっているように、前記着目する部品実装機の起動タイミングを決定し、決定された前記起動タイミングに前記着目する部品実装機を起動させる
ことを特徴とする請求項１８に記載の部品実装機。
【請求項２０】
前記監視手段は、所定の生産設備に基板が搬入されたか否かを検知し、
前記稼動制御手段は、前記所定の生産設備よりも下流に位置する着目する部品実装機に基板が到着する時に、前記着目する部品実装機が稼動状態となっているように、前記着目する部品実装機の起動タイミングを決定し、前記着目する部品実装機を決定された前記起動タイミングに起動させるための指示を、表示または伝達する
ことを特徴とする請求項１８に記載の部品実装機。
【発明の詳細な説明】
【技術分野】
【０００１】
本発明は、監視方法に関し、特に、部品実装基板の生産ラインを構成する複数の生産設備の稼働状況を監視する監視方法に関する。
【背景技術】
【０００２】
近年、省エネルギーの観点から電力供給をこまめに制御しながら基板に部品を実装することにより、部品実装基板を生産する部品実装機が提案されている（例えば、特許文献１参照。）。このような部品実装機では、動作待ち状態であるのか、動作休止状態であるのか等の各種状態を自律的に判断することにより、当該部品実装機の各処理部に電力を供給したり遮断したりするものである。これにより、部品実装機の省電力化を図っている。
【０００３】
また、部品実装基板の生産に必要な半田や接着剤などの部材は、開封してから一定期間内に使用しないと酸化等の影響により品質が低下してしまう。このような半田等の品質低下は部品実装基板の不良にもつながり、歩留まりが低下する。なお、ＢＧＡ（Ball Grid Array）などのベイキングが必要な部品に関しても、開封後一定期間内に使用しなければ
、再度ベイキングをしなければならず、一定期間が経過した部品を使用した場合には、同様に部品実装基板の不良につながり、歩留まりが低下する。このような部品実装基板の不良を防止するために、従来は、半田、接着剤およびＢＧＡなどを使用する際には、人手により当該部品の使用期限を管理していた。
【特許文献１】特開２００３−２６４３９９号公報
【発明の開示】
【発明が解決しようとする課題】
【０００４】
しかしながら、従来の省電力化を図った部品実装機は、自律的に各種状態を判断し、省電力化を図るものである。このため、電力が遮断されている状態の時に、新たな基板が搬入された場合には、基板生産に必要な処理部への電力の供給を開始し、基板への部品実装を開始しなければならない。しかし、電力の供給を開始してから各処理部が安定状態になるまでには、一定期間を要する。このため、その一定期間の間、基板に部品が実装可能な状態にあるにもかかわらず、部品を実装することができず、生産効率が悪いという問題がある。
【０００５】
また、部材や部品の使用期限の管理を人手に頼ることは部品実装機のオペレータに過度な負担をかけ、オペレータの不注意等により使用期限が過ぎた部品を使用して部品実装基板の生産を行なった場合には、品質が低下するという問題がある。
【０００６】
本発明は、上述の課題を解決するためになされたもので、部品実装基板の生産効率および品質を低下させることなく部品実装機等の生産ラインを構成する各生産設備の省エネルギー化を図ることができる監視方法等を提供することを目的とする。
【課題を解決するための手段】
【０００７】
上記目的を達成するために、本発明に係る監視方法は、複数の生産設備より構成される部品実装基板の生産ラインの稼働状況を監視する監視方法であって、少なくとも１つの生産設備の稼働状況を監視する監視ステップと、前記監視ステップにおける監視結果に基づいて、監視された生産設備とは異なる部品実装機を稼動状態または非稼動状態にするように制御する稼動制御ステップとを含む。
【０００８】
この構成によると、ある生産設備の稼働状況を他の部品実装機の稼働状況の制御に用いることができる。このため、他の部品実装機への基板の到着タイミングを予測することができる。よって、基板の到着時に電源等が安定状態になっているように生産設備への電源投入等のタイミングを決定することができる。したがって、部品実装基板の生産効率を低下させることなく各部品実装機の省エネルギー化を図ることができる。
【０００９】
なお、稼働状況の制御対象となる部品実装機には、基板上に部品を実装する部品実装機の他に、基板上に半田を印刷する半田印刷機や、基板上に接着剤を塗布する接着剤塗布機、部品が実装された基板を熱することにより、半田等を溶かした後、部品を基板上に固定させるリフロー炉等を含んでいてもよい。
【００１０】
また、上述の監視方法は、さらに、前記部品実装基板の生産に使用される使用期限の管理が必要な部材または部品を監視し、当該部材または部品の使用期間が所定の期間を過ぎた場合には警告を出力する警告出力ステップを含んでいてもよい。
【００１１】
当該部材または部品の使用期間が所定の期間を過ぎた場合には、警告を出力するようにしている。このため、部材や部品の使用期限の管理を人手に頼らずとも行なうことができる。よって、使用期限が過ぎた部品を使用して部品実装基板の生産を行なうことが少なくなり、品質の向上にもつながる。
【００１２】
なお、本発明は、このような特徴的なステップを備える監視方法として実現することができるだけでなく、監視方法に含まれる特徴的なステップを手段とする監視装置として実現したり、監視方法に含まれる特徴的なステップをコンピュータに実行させるプログラムとして実現したりすることもできる。そして、そのようなプログラムは、ＣＤ−ＲＯＭ（Compact Disc-Read Only Memory）等の記録媒体やインターネット等の通信ネットワークを介して流通させることができるのは言うまでもない。
【発明の効果】
【００１３】
部品実装基板の生産効率および品質を低下させることなく部品実装機等の生産ラインを構成する各生産設備の省エネルギー化を図ることができる監視方法等を提供することができる。
【発明を実施するための最良の形態】
【００１４】
以下、図面を参照しながら、本発明の実施の形態に係る部品実装基板生産システムについて説明する。
【００１５】
図１は、部品実装基板生産システムの構成を示す外観図である。
部品実装基板生産システム１０は、上流側の生産設備から下流側の生産設備に基板を搬送し、部品が実装された部品実装基板を生産するシステムであって、ストッカー１４および３０と、半田印刷機１６と、コンベア１８および２６と、接着剤塗布機２０と、部品実装機２２および２４と、リフロー炉２８と、ラインマネージャー１２とを備えている。
【００１６】
ストッカー１４および３０は、基板をストックする装置であり、ストッカー１４が生産ラインの最上流に位置し、ストッカー３０が生産ラインの最下流に位置する。すなわち、ストッカー１４には、部品が未実装の基板がストックされ、ストッカー３０には部品が実装済みの完成品の部品実装基板がストックされる。
【００１７】
半田印刷機１６は、基板上に半田を印刷する装置である。コンベア１８および２６は、基板を搬送する装置である。接着剤塗布機２０は、基板上に接着剤を塗布する装置である。部品実装機２２および２４は、基板上に部品を実装する装置である。リフロー炉２８は、部品が実装された基板を熱することにより、半田等を溶かした後、部品を基板上に固定させる装置である。
【００１８】
半田印刷機１６および接着剤塗布機２０でそれぞれ使用される半田および接着剤は使用期限の管理が必要である。また、部品実装機２２または２４で使用されるＢＧＡ等の部材に関しても使用期限の管理が必要なものがある。
【００１９】
ラインマネージャー１２は、生産ラインを構成する上述したすべての生産設備に接続され、各生産設備への電源の供給および遮断を制御する装置である。
【００２０】
なお、ラインマネージャー１２と各生産設備とはイーサネット（登録商標）、ＲＳ２３２ＣもしくはリモートＩ／Ｏなどの通信手段を用いて接続されている。
【００２１】
図２は、部品実装機２２の省エネルギーに関連する主要な構成を示すブロック図である。
【００２２】
部品実装機２２は、ＣＰＵ（Central Processing Unit）７２と、通信部７４と、センサ７６と、電源制御部７８と、負荷制御部８０と、エアー制御部８２と、ストッパー８４と、電磁弁８６と、軸制御モーター８８とを主要な構成として備えている。
【００２３】
通信部７４は、ラインマネージャー１２との間の通信を行なう処理部である。ＣＰＵ７２は、通信部７４を介してラインマネージャー１２との間で通信を行ない、後述する各処理部に指示を行なう処理部である。
【００２４】
センサ７６は、部品実装機２２の基板搬入位置と基板搬出位置の２箇所に設けられており、部品実装機２２内に基板が搬入されたことおよび部品実装機２２から基板が搬出されたことを検知する。センサ７６は、生産設備の稼働状況を監視する監視手段として機能する。
【００２５】
ストッパー８４は、部品実装機２２の基板搬入位置に設けられており、異常事態が生じた場合に、基板が部品実装機２２内部に搬入するのを阻止するための装置である。
【００２６】
電磁弁８６は、空気の流量を変化させるための装置である。部品実装機２２は、図示しない吸着ノズルにより電子部品を真空吸着し、空気圧で基板上に部品を実装していくが、電磁弁８６は、その際の空気の流量を変化させるために用いられる。エアー制御部８２は、電磁弁８６の開閉を制御する装置である。
【００２７】
軸制御モーター８８は、吸着ノズルが複数備えられた装着ヘッド（図示せず）を各軸方向に移動させるためのモーターである。負荷制御部８０は、軸制御モーター８８の回転数および回転方向等を制御する処理部である。電源制御部７８は、負荷制御部８０に電源を供給するか否かを制御する処理部である。
【００２８】
なお、部品実装機２２のうち、ＣＰＵ７２、通信部７４およびセンサ７６は常時起動しているが、それ以外の処理部は、ＣＰＵ７２からの指示に基づいて起動される。また、図１に示した生産ラインを構成するその他の生産設備も図２に示したのと同様の構成を有する。
【００２９】
図３は、ラインマネージャー１２の構成を示す機能ブロック図である。なお、ラインマネージャー１２の各部は、生産設備の稼動または非稼動を制御する稼動制御手段として機能する。
【００３０】
ラインマネージャー１２は、ストッパー制御指示部４２と、稼動状態監視部４４と、設備稼働指示部４６と、設備起動時刻計算部４８と、規定時間照合部５０と、ライン状態表示部５１と、警告出力部５２と、生産指示部５４と、通信部５６と、表示部５８と、バス６０とを備えている。
【００３１】
通信部５６は、生産ラインを構成する各生産設備との間の通信を行なう処理部である。
ストッパー制御指示部４２は、通信部５６を介して、各生産設備のストッパー８４を制御する指示を送信する処理部である。
【００３２】
稼動状態監視部４４は、各生産設備の稼働状況を監視する処理部である。
設備稼働指示部４６は、各生産設備へ、稼動または非稼動の指示を通信部５６を介して送信する処理部である。
【００３３】
設備起動時刻計算部４８は、各生産設備を起動させる時刻である設備起動時刻を計算する処理部である。なお、設備起動時刻計算部４８は、各生産設備を起動させる時刻を計算しているが、時刻の代わりに各生産設備を起動する時期やタイミングを計算するようにしてもよい。例えば、設備起動時刻計算部４８は、各生産設備について現在の時刻から何分後に起動させればよいか等のタイミング等を計算するものであってもよい。
【００３４】
規定時間照合部５０は、半田、接着剤およびＢＧＡなどの使用期限の管理が必要な部材や部品が開封されてから現在までの時間が予め定められた規定時間内であるか否かを照合する処理部である。
【００３５】
ライン状態表示部５１は、生産ラインにおける各生産設備の稼動状態を後述する表示部５８に表示させる処理部である。
【００３６】
警告出力部５２は、規定時間照合部５０において規定時間を越えていると判断された場合に、警告を出力する処理部である。表示部５８は、稼動状態や警告を表示するディスプレイ等の表示画面である。
【００３７】
生産指示部５４は、各生産設備に対して、通信部５６を介して生産開始の指示を送信する処理部である。
【００３８】
バス６０は、ラインマネージャー１２を構成する各処理部を相互に接続する信号線である。
【００３９】
図４は、ラインマネージャー１２が各生産設備から収集する情報を示した図である。
ラインマネージャー１２は、「設備基板搬入イベント」、「設備基板搬出イベント」、「コンベアセンサー基板到着イベント」、「コンベアセンサー基板通過イベント」という４つのイベントを生産設備より収集する。
【００４０】
「設備基板搬入イベント」とは、ストッカー１４および３０ならびにコンベア１８および２６を除く生産設備に基板が搬入されたことを示すイベントであり、当該生産設備に設けられたセンサ７６が基板が搬入されたことを検知した場合に、当該生産設備からラインマネージャー１２へ当該イベントが送信される。
【００４１】
「設備基板搬出イベント」とは、ストッカー１４および３０ならびにコンベア１８および２６を除く生産設備から基板が搬出されたことを示すイベントであり、当該生産設備に設けられたセンサ７６が基板が搬出されたことを検知した場合に、当該生産設備からラインマネージャー１２へ当該イベントが送信される。
【００４２】
「コンベアセンサー基板到着イベント」とは、コンベア１８または２６に設置されたセンサ７６が基板の到着を検知した際にラインマネージャー１２に対して送出されるイベントである。
【００４３】
「コンベアセンサー基板通過イベント」とは、コンベア１８または２６に設置されたセンサ７６が基板の通過を検知した際にラインマネージャー１２に対して送出されるイベントである。
【００４４】
次に、図５および図６を参照して、ラインマネージャー１２が実行する処理について説明する。
【００４５】
まず、前提条件として以下の７つの事項が予め定められているものとする。
１）各生産設備が設備起動の指示を受けてから、空気圧を上昇させ、安定状態になるまでの時間Ｔａｉｒが予め定められている。
【００４６】
２）各生産設備が設備起動の指示を受けてから、電源が安定状態になるまでの時間ＴＰｏｗｅｒが予め定められている。
【００４７】
３）コンベア１８および２６に配置されたセンサ７６は、すべてラインマネージャー１２が管理するものとする。
【００４８】
４）コンベア１８および２６の進行速度は常に一定で、かつラインマネージャー１２により把握されているものとする。
【００４９】
５）各生産設備ｉのサイクルタクトタイムＴｃｙｃｌｅ（ｉ）はラインマネージャー１２で把握できるものとする。
【００５０】
６）基板が存在しなくなった状態から、各生産設備がアイドリング状態になるまでの時間Ｔｗａｉｔは予め規定されているものとする。
【００５１】
７）半田印刷機１６への半田供給時刻、接着剤塗布機２０への接着剤供給時刻、部品実装機２２および２４へのベイキングが必要な部品の供給時刻はラインマネージャー１２が把握できるものとする。また、半田、接着剤および上記部品の使用期限である規定時間も予め規定され、ラインマネージャー１２が把握しているものとする。
【００５２】
図５に示されるように、全ての生産設備が非稼動な状態において、ストッカー１４を除いた最上流工程にある半田印刷機１６に最初の基板９０が搬入されたものとする。そのときの基板搬入時刻をＴとする。
【００５３】
図６は、任意の生産設備ｉに対してラインマネージャー１２が実行する処理のフローチャートである。
【００５４】
半田印刷機１６に基板が搬入されると、設備基板搬入イベントが半田印刷機１６からラインマネージャー１２に送信され、ラインマネージャー１２の稼動状態監視部４４は、基板が搬入されたことを検知する（図６のＳ２）。
【００５５】
基板搬入が検知されると、設備起動時刻計算部４８は、生産設備ｉに対する設備起動時刻Ｔａｃｔｉｖｅ（ｉ）を計算する（Ｓ４）。設備起動時刻Ｔａｃｔｉｖｅ（ｉ）とは、基板搬入時刻Ｔに生産設備１に基板９０が搬入された場合に、生産設備ｉを起動させる時刻のことである。設備起動時刻Ｔａｃｔｉｖｅ（ｉ）は、以下のようにして求められる。
【００５６】
ここで、生産設備ｎに着目すると、基板９０が生産設備ｎに到着する時刻である基板到着時刻Ｔａｒｒｉｖｅ（ｎ）は、次式（１）に従い求められる。
【００５７】
【数１】
2006310750.tif 000003
【００５８】
すなわち、基板搬入時刻Ｔに、生産設備１から生産設備（ｎ−１）までのサイクルタクトタイムＴｃｙｃｌｅ（ｉ）を加算したものが基板到着時刻Ｔａｒｒｉｖｅ（ｎ）となる。しかし、基板到着時刻Ｔａｒｒｉｖｅ（ｎ）に生産設備ｎを起動させたのでは、基板９０が生産設備ｎに到着したとしても、空気圧および電源が安定状態となるまでの時間、基板９０を生産することができない。このため、基板９０の到着と同時に基板の生産を開始させるために、基板９０の到着に先立って生産設備ｎを起動させることが必要である。設備起動時刻Ｔａｃｔｉｖｅ（ｎ）は、次式（２）に従い求められる。
【００５９】
【数２】
2006310750.tif 000004
【００６０】
ここで、ｍａｘ（ａ，ｂ）はａおよびｂの最大値を示すものとする。
【００６１】
すなわち、基板到着時刻Ｔａｒｒｉｖｅ（ｎ）よりも空気圧および電源の双方が安定するまでの時間ｍａｘ（Ｔａｉｒ，Ｔｐｏｗｅｒ）だけ早く生産設備（ｎ）を稼動させておくことにより、生産設備ｎに基板９０が搬入されると同時に生産を開始することができる。
【００６２】
次に、設備起動時刻計算部４８は、生産設備ｉについて、設備起動時刻Ｔａｃｔｉｖｅ（ｉ）が現在の時刻よりも後であるか否かを調べる（Ｓ６）。
【００６３】
設備起動時刻Ｔａｃｔｉｖｅ（ｉ）まで時間がある場合には（Ｓ６でＹＥＳ）、設備起動時刻計算部４８は、設備起動時刻Ｔａｃｔｉｖｅ（ｉ）まで待機した後（Ｓ８）、再度、設備起動時刻計算部４８は、生産設備ｉについて、設備起動時刻Ｔａｃｔｉｖｅ（ｉ）が現在の時刻よりも後であるか否かを調べる（Ｓ６）。
【００６４】
設備起動時刻Ｔａｃｔｉｖｅ（ｉ）に到達している場合には、設備稼働指示部４６は、設備起動時刻Ｔａｃｔｉｖｅ（ｉ）に生産設備ｉに設備起動の指示を送信する（Ｓ１０）。設備起動の指示を受けた生産設備ｉは、ＣＰＵ７２が、電源制御部７８およびエアー制御部８２に対し、電源投入および空気圧制御の指示を送信し、生産設備ｉを稼動状態にする。
【００６５】
稼動状態監視部４４は、上述の指示を送信した後、生産設備ｉが起動されているか否かを確認する（Ｓ１２）。生産設備ｉが起動していなければ（Ｓ１２でＮＯ）、稼動状態監視部４４はその生産設備ｉについて異常事態が生じているものと判断し、ストッパー制御指示部４２が当該生産設備ｉに対してストッパー８４を操作し、基板９０の搬入を阻止するような指令を送信する（Ｓ１４）。その後、再度、設備起動指示送信処理（Ｓ１０）が実行される。
【００６６】
一方、正常に生産設備が起動していれば（Ｓ１２でＹＥＳ）、規定時間照合部５０が、半田印刷機１６で使用されている半田が規定時間内であるかを調べ（Ｓ１６）、規定時間を過ぎて半田を使用している場合には（Ｓ１６でＮＯ）、警告出力部５２が「半田を取り替えてください」等の警告を表示部５８に表示させる（Ｓ１８）。
【００６７】
また、規定時間照合部５０が、接着剤塗布機２０で使用されている接着剤が規定時間内であるかを調べ（Ｓ２０）、規定時間を過ぎて接着剤を使用している場合には（Ｓ２０でＮＯ）、警告出力部５２が「接着剤を取り替えてください」等の警告を表示部５８に表示させる（Ｓ１８）。
【００６８】
さらに、規定時間照合部５０が、部品実装機２２または２４で使用されているベイキングを必要とする部品が規定時間内にあるかを調べ（Ｓ２２）、規定時間を過ぎて当該部品を使用している場合には（Ｓ２２でＮＯ）、警告出力部５２が「ＢＧＡ部品を取り替えてください」等の警告を表示部５８に表示させる（Ｓ１８）。
【００６９】
警告処理（Ｓ１８）の後、オペレータにより、規定時間外の半田、接着剤またはベイキング部品が規定時間内のものに交換される（Ｓ１９）。交換された後、再度、Ｓ１６以降の処理が行なわれる。
【００７０】
半田、接着剤およびベイキングが必要な部品のいずれもが規定時間内の場合には（Ｓ１６でＹＥＳ、Ｓ２０でＹＥＳかつＳ２２でＹＥＳ）、生産指示部５４は、生産設備ｉに対して、生産を開始するよう指示を送信する（Ｓ２４）。当該指示に応答して、生産設備ｉは生産を開始する。
【００７１】
次に、稼動状態監視部４４は、生産設備ごとに最後の基板９０の搬出を検知してから一定時間が経過したか否かを判断する（Ｓ２６）。稼動状態監視部４４は、一定時間が経過していなければ（Ｓ２６でＮＯ）、一定時間が経過するまで待機し、一定時間が経過していれば（Ｓ２６でＹＥＳ）、設備稼働指示部４６が、一定時間が経過した生産設備ｉをアイドリング状態にするように、当該生産設備ｉに対して指示を送信する（Ｓ２８）。当該指示に応答して、生産設備ｉのＣＰＵ７２は、電源制御部７８に対して軸制御モーター８８への電力供給を停止させるように指示し、かつ、エアー制御部８２に対して、空気の流入および流出を停止させるように指示する。
【００７２】
なお、ラインマネージャー１２のライン状態表示部５１は、図７に示されるような画面を表示部５８に表示するものとする。すなわち、生産ラインの稼働状況が一目で分かる画面である。当該画面には、生産ラインの外観図と、生産設備が稼動状態にあることを示すアイコン１０２と、生産設備が非稼動状態にあることを示すアイコン１００と、基板の位置を示すアイコン１０４とが表示される。
【００７３】
以上説明したように、本発明の実施の形態に係る部品実装基板生産システム１０によると、各生産設備の稼動および非稼動、すなわち、生産対象とされる基板の存否をラインマネージャー１２が監視し、必要なときにのみ各設備を稼動させるようにしている。このため、省エネルギー化を図ることができる。
【００７４】
また、基板到着と同時に各生産設備が安定するようなタイミングで生産設備を稼動させるようにしている。このため、基板が到着したにもかかわらず、生産を開始することができないという問題が生じない。このため、生産効率を低下させることなく省エネルギー化を図ることができる。
【００７５】
さらに、半田、接着剤およびＢＧＡなどの使用期限の管理を自動化することができるため、部品実装基板の品質を低下を少なくすることができる。
【００７６】
以上、本発明の実施の形態に係る部品実装基板生産システムについて説明したが、本発明は、この実施の形態に限定されるものではない。
【００７７】
たとえば、生産設備をアイドリング状態へ移行させるための判断として（図６のＳ２６）、予め定められた生産計画に基づいてアイドリング状態に移行させるようにしてもよい。例えば、基板種Ａの生産が完了した後に、生産計画上、次に生産される基板種Ｂの生産開始までの時間間隔が基準値を超えた場合に、アイドリング状態に移行させるようにしてもよい。また、生産ラインのある生産設備がメンテナンス状態に入った場合には、それ以降の生産設備をアイドリング状態に移行させるようにしてもよい。
【００７８】
また、ラインマネージャー１２の機能が生産ラインを構成する生産設備（例えば、部品実装機２２）に備えられていてもよい。
【００７９】
さらに、ラインマネージャー１２の表示部５８に表示される情報が、生産ラインを構成する生産設備の表示部に表示されるような構成であってもよい。さらにまた、生産設備の操作部等を利用して、ラインマネージャー１２を遠隔操作できるような構成であってもよい。
【００８０】
さらにまた、上述の実施の形態では、ラインマネージャー１１が生産設備に対して設備起動の指示を送信し（図６のＳ１０）、設備起動の指示を受けた生産設備が、自身を稼動状態にしていたが、ラインマネージャー１１が生産設備の表示部に設備起動の指示内容を表示させるような制御を行ってもよい。設備起動の指示内容とは、「生産設備を起動せよ」との指示のほか、起動時刻または起動タイミング等が含まれる。なお、設備起動の指示内容は、ラインマネージャー１１の表示部に表示させるようにしてもよいし、オペレータが利用する携帯端末装置の表示部に表示させるようにしてもよい。
【産業上の利用可能性】
【００８１】
本発明は、部品実装機、半田印刷機および接着剤塗布機等を備える生産ラインの監視装置等に適用できる。
【図面の簡単な説明】
【００８２】
【図１】部品実装基板生産システムの構成を示す外観図である。
【図２】部品実装機の省エネルギーに関連する主要な構成を示すブロック図である。
【図３】ラインマネージャーの構成を示す機能ブロック図である。
【図４】ラインマネージャーが各生産設備から収集する情報を示した図である。
【図５】ラインマネージャーが実行する処理を説明するための図である。
【図６】任意の生産設備に対してラインマネージャーが実行する処理のフローチャートである。
【図７】画面に表示される生産ラインの稼働状況を示す図である。
【符号の説明】
【００８３】
１０  部品実装基板生産システム
１２  ラインマネージャー
１４，３０  ストッカー
１６  半田印刷機
１８  コンベア
２０  接着剤塗布機
２２  部品実装機
２８  リフロー炉
４２  ストッパー制御指示部
４４  稼動状態監視部
４６  設備稼働指示部
４８  設備起動時刻計算部
５０  規定時間照合部
５１  ライン状態表示部
５２  警告出力部
５４  生産指示部
５６，７４  通信部
５８  表示部
６０  バス
７６  センサ
７８  電源制御部
８０  負荷制御部
８２  エアー制御部
８４  ストッパー
８６  電磁弁
８８  軸制御モーター
９０  基板
１００，１０２，１０４  アイコン
【図１】
2006310750.tif 000005
【図２】
2006310750.tif 000006
【図３】
2006310750.tif 000007
【図４】
2006310750.tif 000008
【図５】
2006310750.tif 000009
【図６】
2006310750.tif 000010
【図７】
2006310750.tif 000011